(57)【要約】【課題】ＬＥＤドライバの性能によらず、また、誤動作することなく、ＬＥＤに流す最大電流と最小電流とを目標の比率にする。【解決手段】ＬＥＤ点灯装置１は、ＬＥＤ（１〜５）を含むＬＥＤ回路５と、ＬＥＤ（１〜５）と並列に挿入されたバイパス手段６と、ＬＥＤ（１〜５）およびバイパス手段６に電流を供給するＬＥＤドライバ４とを備える。バイパス手段６は、抵抗ＲAとスイッチング素子ＴAとが直列に接続された少なくとも１つのバイパスラインからなる。ＬＥＤ（１〜５）に所定の最小電流を流す場合、スイッチング素子ＴAを動作させ、ＬＥＤドライバ４は、所定の最小電流にバイパス手段６に流れる電流分を加算した電流を供給する。加算した電流は、ＬＥＤ（１〜５）とバイパス手段６に直列に接続されたスイッチング素子ＴＲ１によって制御される。【選択図】図１
2014053138.tif 000002
【特許請求の範囲】
【請求項１】
少なくとも１つのＬＥＤを含むＬＥＤ回路と、該ＬＥＤ回路と並列に挿入されたバイパス手段と、前記ＬＥＤ回路および前記バイパス手段に電流を供給するＬＥＤドライバとを備え、
前記バイパス手段は、抵抗と第１のスイッチング手段とが直列に接続された少なくとも１つのバイパスラインからなり、
前記ＬＥＤ回路に所定の最小電流を流す場合、前記第１のスイッチング手段を動作させ、前記ＬＥＤドライバは、前記所定の最小電流に前記バイパス手段に流れる電流分を加算した電流を供給し、
前記加算した電流を、前記ＬＥＤ回路と前記バイパス手段に直列に接続された第２のスイッチング手段によって制御することを特徴とするＬＥＤ点灯装置。
【請求項２】
請求項１に記載のＬＥＤ点灯装置において、前記ＬＥＤ回路に所定の最大電流を流す場合、前記第１のスイッチング手段を停止させ、前記ＬＥＤドライバは、前記所定の最大電流を供給することを特徴とするＬＥＤ点灯装置。
【請求項３】
請求項１または２に記載のＬＥＤ点灯装置において、前記バイパス手段は、前記バイパスラインを複数並列接続したものであることを特徴とするＬＥＤ点灯装置。
【請求項４】
請求項１〜３のいずれか１項に記載のＬＥＤ点灯装置において、前記ＬＥＤ回路に流す所定の最大電流と最小電流とは、所定の比率になることを特徴とするＬＥＤ点灯装置。
【請求項５】
請求項１〜４のいずれか１項に記載のＬＥＤ点灯装置において、前記ＬＥＤドライバは、デューティ制御により電流を供給することを特徴とするＬＥＤ点灯装置。
【発明の詳細な説明】
【技術分野】
【０００１】
本発明は、ＬＥＤ点灯装置に関し、より詳細には、液晶表示装置のバックライト光源などに用いられるＬＥＤ（Light Emitting Diode）を点灯させるためのＬＥＤ点灯装置に関する。
【背景技術】
【０００２】
近年、ＬＥＤ（Light Emitting Diode）をバックライト光源とした液晶表示装置が各メーカから発売されている。このＬＥＤは、順方向に電圧を加えた際に発光する半導体素子であり、アノードに正、カソードに負の電圧をかけると、数ボルトの電圧で電流が流れ、発光する。ＬＥＤをバックライト光源として用いることで、バックライトの点灯／消灯の制御や、明るさの制御を領域ごとに行うことができるため、コントラストを大きく改善することができる。また、ＬＥＤは、従来の蛍光管と比べて、長寿命であり、消費電力が小さいため、省エネ効果も高いという利点もある。
【０００３】
ＬＥＤをバックライト光源、特に大画面ディスプレイのバックライト光源として用いる場合には、多数のＬＥＤに対して電流を供給する必要があるため、ＬＥＤ電源をスイッチング電源とし、ＬＥＤに流れる電流を一定にするようフィードバック制御（電流フィードバック）が行われている（例えば、特許文献１を参照）。
【０００４】
図３は、従来のＬＥＤ点灯装置の構成を示す図で、図中、１００はＬＥＤ点灯装置を示す。ＬＥＤ点灯装置１００は、スイッチング電源３を含むコンバータ回路２と、ＬＥＤ回路５の各ＬＥＤ（１〜５）を駆動させるためのＬＥＤドライバ４と、複数のＬＥＤ（１〜５）を含むＬＥＤ回路５とを備えている。ＬＥＤドライバ４は、例えば、周知のマイクロコンピュータおよび周辺回路を含むＩＣ（Integrated Circuit）チップとして実装される。ＬＥＤドライバ４から外部回路への信号の出力はマイクロコンピュータにより制御される。
【０００５】
ＬＥＤドライバ４は、図示しないメイン制御部から、所定の調光用デューティ比に制御するための調光制御信号を受信する。そして、ＬＥＤドライバ４は、調光用デューティ比に基づくデューティ信号をフィードバック出力端子からコンバータ回路２に出力し、スイッチング電源３の動作／停止を制御して、調光用デューティ比に応じた電圧Ｖ１を生成させる。また、ＬＥＤドライバ４は、このデューティ信号に基づいて、ＬＥＤ回路５と接地線ＧＮＤとの間に挿入されたスイッチング素子ＴＲ１をスイッチング駆動させ、ＬＥＤ回路５に対して電圧Ｖ１の印加を継続して行うことで、ＬＥＤ（１〜５）を点灯させる。スイッチング素子ＴＲ１は、例えば、ＦＥＴ（Field Effect Transistor：電界効果トランジスタ）で構成される。
【０００６】
コンバータ回路２は、例えば、バッテリ等の電源電圧（＋Ｂ）から生成される基準電圧Ｖに基づきＬＥＤ回路５に含まれるＬＥＤ（１〜５）を点灯させるための電圧Ｖ１を生成する。コンバータ回路２は、コンデンサＣを含む所謂降圧型のコンバータとして構成されるが、降圧型、昇圧型、昇降圧型のいずれであってもよい。
【０００７】
ＬＥＤ回路５は、１つ以上のＬＥＤを含んで構成される。図示の例では、ＬＥＤ（１〜５）の５個のＬＥＤを含んでいる。また、ＬＥＤ回路５を流れる電流ｉは、電流検出抵抗Ｒ１により電流−電圧変換され、その電圧がＬＥＤドライバ４の電流検出端子に入力される。ＬＥＤドライバ４は、電流検出端子に入力された電圧の値をフィードバック出力端子からコンバータ回路２に出力し、コンバータ回路２によりＬＥＤ（１〜５）を定電流駆動させる。
【０００８】
ここで、最近の液晶表示装置は、益々高画質化され、より鮮明な画質を得るためにコントラスト比をできるだけ大きくしたいという要求がある。ＬＥＤをバックライト光源とした場合には、このコントラスト比は、ＬＥＤの最大輝度と最小輝度との比で決まる。すなわち、コントラスト比を大きくすることは、ＬＥＤを流れる最大電流（定格電流）と最小電流との比を大きくすることと同義である。
【０００９】
そして、ＬＥＤを流れる電流は、図３で説明したようにＬＥＤドライバにより供給される電流によって決まる。液晶表示装置の各メーカは、所望のコントラスト比を実現するために、ＬＥＤに流す最大電流と最小電流とに対して目標の比率を設定している。例えば、この目標比率を２０００：１に設定している。具体的には、ＬＥＤドライバにより供給される最大電流が２５０ｍＡであれば、最小電流の目標値は０.１２５ｍＡとなる。
【先行技術文献】
【特許文献】
【００１０】
【特許文献１】特開２００９−２３８６３３号公報
【発明の概要】
【発明が解決しようとする課題】
【００１１】
上記したＬＥＤに流す最小電流（以下、ＬＥＤ最小電流という）を実現するために、従来２つの方法が用いられている。第１の方法として、メイン制御部側で調光制御信号（調光用デューティ）を調整し、調整後の調光用デューティに基づきＬＥＤドライバによりＬＥＤ最小電流を生成する方法がある。しかし、この場合、メイン制御部側での複雑な信号調整が必要とされ、さらに、ＬＥＤドライバの性能、すなわち、ＬＥＤドライバが対応できる調光用デューティの範囲によってＬＥＤ最小電流が制限されてしまうという問題がある。これについて以下の図４に基づき説明する。
【００１２】
図４は、ＬＥＤに流れる電流と調光用デューティとの関係を示す図で、図中、縦軸はＬＥＤに流れる電流（単位：ｍＡ）、横軸は調光用デューティ（％）を示す。グラフＬ１は、調光用デューティとＬＥＤに流れる電流（すなわち、ＬＥＤドライバにより供給される電流）との対応関係を示すものである。図４に示すように、調光用デューティが０.１％以下の場合（図中、Ｘの範囲の場合）には、ＬＥＤドライバの性能により動作が保証されず、目標の０.１２５ｍＡを達成できないことが分かる。すなわち、このＬＥＤドライバの性能では、調光用デューティが０.１％のときにＬＥＤに流れる電流（最小電流）が０.２００ｍＡとなるため、目標の０.１２５ｍＡを達成することができない。
【００１３】
また、第２の方法として、ＬＥＤドライバの外部回路によりＬＥＤ最小電流を実現する方法がある。しかし、この場合、ＬＥＤドライバを停止させて外部回路によりＬＥＤ最小電流を生成するため、ＬＥＤドライバの動作復帰時に誤動作する恐れがある。具体的には、停止状態にあるＬＥＤドライバを急峻に動作復帰させると、ＬＥＤ電圧が上昇する。このため、ＬＥＤ電圧の上昇を過電圧エラーとして誤検出してしまう。
【００１４】
なお、特許文献１に記載の技術では、ＬＥＤ回路と並列にバイパス手段が挿入されているが、これは、ＬＥＤが点灯するために要する時間を短縮することを目的とし、プレデューティ比でスイッチング電源を駆動する場合にはバイパス手段に電力を供給してＬＥＤの点灯を防止し、調光用デューティ比でスイッチング電源を駆動する場合にはＬＥＤに電力を供給してバイパス手段を動作させないようにしたものである。従って、特許文献１に記載の技術は、所望のコントラスト比を得るために、ＬＥＤに流す最大電流と最小電流とを目標の比率にできるものではない。
【００１５】
本発明は、上述のような実情に鑑みてなされたもので、ＬＥＤドライバの性能によらず、また、誤動作することなく、ＬＥＤに流す最大電流と最小電流とを目標の比率にすることができるＬＥＤ点灯装置を提供することを目的とする。
【課題を解決するための手段】
【００１６】
上記課題を解決するために、本発明の第１の技術手段は、少なくとも１つのＬＥＤを含むＬＥＤ回路と、該ＬＥＤ回路と並列に挿入されたバイパス手段と、前記ＬＥＤ回路および前記バイパス手段に電流を供給するＬＥＤドライバとを備え、前記バイパス手段は、抵抗と第１のスイッチング手段とが直列に接続された少なくとも１つのバイパスラインからなり、前記ＬＥＤ回路に所定の最小電流を流す場合、前記第１のスイッチング手段を動作させ、前記ＬＥＤドライバは、前記所定の最小電流に前記バイパス手段に流れる電流分を加算した電流を供給し、前記加算した電流を、前記ＬＥＤ回路と前記バイパス手段に直列に接続された第２のスイッチング手段によって制御することを特徴としたものである。
【００１７】
第２の技術手段は、第１の技術手段において、前記ＬＥＤ回路に所定の最大電流を流す場合、前記第１のスイッチング手段を停止させ、前記ＬＥＤドライバは、前記所定の最大電流を供給することを特徴としたものである。
【００１８】
第３の技術手段は、第１又は第２の技術手段において、前記バイパス手段は、前記バイパスラインを複数並列接続したものであることを特徴としたものである。
【００１９】
第４の技術手段は、第１〜第３のいずれか１の技術手段において、前記ＬＥＤ回路に流す所定の最大電流と最小電流とは、所定の比率になることを特徴としたものである。
【００２０】
第５の技術手段は、第１〜第４のいずれか１の技術手段において、前記ＬＥＤドライバは、デューティ制御により電流を供給することを特徴としたものである。
【発明の効果】
【００２１】
本発明によれば、ＬＥＤと並列にバイパス手段を挿入し、ＬＥＤに流す電流が目標の最小電流になるように、ＬＥＤドライバにより供給される電流をバイパス手段に分岐させることができるため、ＬＥＤドライバの性能によらず、また、ＬＥＤドライバを停止させることがないため、誤動作することがなく、ＬＥＤに流す最大電流と最小電流とを目標の比率にすることができる。
【図面の簡単な説明】
【００２２】
【図１】本発明によるＬＥＤ点灯装置の構成例を示す図である。
【図２】ＬＥＤに流れる電流と調光用デューティとの対応関係の一例を示す図である。
【図３】従来のＬＥＤ点灯装置の構成を示す図である。
【図４】ＬＥＤに流れる電流と調光用デューティとの関係を示す図である。
【発明を実施するための形態】
【００２３】
以下、添付図面を参照しながら、本発明のＬＥＤ点灯装置に係る好適な実施の形態について説明する。このＬＥＤ点灯装置は、例えば、バックライト光源としてＬＥＤを用いた液晶表示装置に内蔵され、ＬＥＤの点灯制御を行うものである。
【００２４】
図１は、本発明によるＬＥＤ点灯装置の構成例を示す図で、図中、１はＬＥＤ点灯装置を示す。ＬＥＤ点灯装置１は、前述の図３に示したＬＥＤ点灯装置１００と比較して、ＬＥＤ回路５と並列に挿入されたバイパス手段６と、バイパス手段６のオン／オフを制御する制御回路７とを備える点が異なる。なお、図１において、図３で示した構成要素と同じ符号を付した構成要素は同じ機能を有する。以下ではＬＥＤ点灯装置１の動作例について簡単に説明する。
【００２５】
前述したように、ＬＥＤドライバ４は、図示しないメイン制御部から、所定の調光用デューティ比に制御するための調光制御信号を受信する。そして、ＬＥＤドライバ４は、調光用デューティ比に基づくデューティ信号をフィードバック出力端子からコンバータ回路２に出力し、スイッチング電源３の動作／停止を制御して、調光用デューティ比に応じた電圧Ｖ１を生成させる。また、ＬＥＤドライバ４は、このデューティ信号に基づいて、ＬＥＤ回路５と接地線ＧＮＤとの間に挿入されたスイッチング素子ＴＲ１（第２のスイッチング手段に相当）をスイッチング駆動させ、ＬＥＤ回路５に対して電圧Ｖ１の印加を継続して行うことで、ＬＥＤ（１〜５）を点灯させる。スイッチング素子ＴＲ１は、例えば、ＦＥＴ（Field Effect Transistor）で構成される。
【００２６】
コンバータ回路２は、例えば、バッテリ等の電源電圧（＋Ｂ）から生成される基準電圧Ｖに基づきＬＥＤ回路５に含まれるＬＥＤ（１〜５）を点灯させるための電圧Ｖ１を生成する。コンバータ回路２は、コンデンサＣを含む所謂降圧型のコンバータとして構成されるが、降圧型、昇圧型、昇降圧型のいずれであってもよい。
【００２７】
ＬＥＤ回路５は、少なくとも１つのＬＥＤを含んで構成される。図示の例では、ＬＥＤ（１〜５）の５個のＬＥＤを含んでいる。また、ＬＥＤ（１〜５）を流れる電流ｉLEDとバイパス手段６を流れる電流ｉRとを加算した電流ｉは、電流検出抵抗Ｒ１により電流−電圧変換され、その電圧がＬＥＤドライバ４の電流検出端子に入力される。ＬＥＤドライバ４は、電流検出端子に入力された電圧の値をフィードバック出力端子からコンバータ回路２に出力し、コンバータ回路２によりＬＥＤ（１〜５）を定電流駆動させる。
【００２８】
本発明の主たる目的は、ＬＥＤドライバの性能によらず、また、誤動作することなく、ＬＥＤに流す最大電流と最小電流とを目標の比率にすることにある、このための構成として、ＬＥＤ点灯装置１は、ＬＥＤ（１〜５）を含むＬＥＤ回路５と、ＬＥＤ回路５と並列に挿入されたバイパス手段６と、ＬＥＤ回路５およびバイパス手段６に例えばデューティ制御により電流を供給するＬＥＤドライバ４とを備える。ＬＥＤドライバ４は、ＬＥＤ回路５に所定の最小電流を流す場合、この最小電流にバイパス手段６に流れる電流分を加算した電流を供給する。そして、この加算した電流は、ＬＥＤ回路５とバイパス手段６に直列に接続されたスイッチング素子ＴＲ１によって制御される。
【００２９】
つまり、ＬＥＤ（１〜５）に流す最大電流と最小電流とが所定の比率（目標比率ともいう）になるときの最小電流を目標値とし、ＬＥＤ（１〜５）に流す電流が目標値になるように、ＬＥＤドライバ４により供給される電流をバイパス手段６に分岐させる。この目標比率は、実現したいコントラスト比やＬＥＤの仕様などに応じて定めればよく、特に限定されるものではないが、例えば、２０００：１とすることができる。
【００３０】
上記において、ＬＥＤドライバ４は、外部から入力される調光制御信号（調光用デューティ比）に基づいて、スイッチング電源３の動作／停止を制御して、調光用デューティ比に応じた電圧Ｖ１に基づく電流ｉを供給する。この電流ｉは、ＬＥＤ（１〜５）とバイパス手段６との接続点で分岐され、ＬＥＤ（１〜５）に電流ｉLEDが、バイパス手段６に電流ｉRがそれぞれ流れる。なお、ここでは、ＬＥＤドライバ４がデューティ制御により電流を供給する場合を例示して説明するが、このデューティ制御に限らず、例えば、電流制御を適用した場合でも同様の制御を行うことができる。
【００３１】
次に、バイパス手段６の構成例について説明する。このバイパス手段６は、抵抗とスイッチング素子とが直列に接続された少なくとも１つのバイパスラインからなる。図１の例では、バイパス手段６は、抵抗ＲAとスイッチング素子ＴAとが直列に接続されたバイパスラインと、抵抗ＲBとスイッチング素子ＴBとが直列に接続されたバイパスラインと、抵抗ＲCとスイッチング素子ＴCとが直列に接続されたバイパスラインとを有し、これら３つのバイパスラインが並列に接続されている。なお、スイッチング素子ＴA〜ＴCは、第１のスイッチング手段に相当し、例えば、ＦＥＴ（電界効果トランジスタ）、より望ましくは、ＦＥＴの一種であるＭＯＳＦＥＴ（Metal-Oxide-Semiconductor Field-Effect Transistor）などで構成される。
【００３２】
ここで、ＬＥＤドライバ４から出力される電流をｉ、ＬＥＤ（１〜５）を流れる電流をｉLED、バイパス手段６に流れる電流をｉRとし、さらに、抵抗ＲAを含むバイパスラインを流れる電流をｉA、抵抗ＲBを含むバイパスラインを流れる電流をｉB、抵抗ＲCを含むバイパスラインを流れる電流をｉCとすると、以下の式が成り立つ。
ｉ＝ｉLED＋ｉR  但し、ｉR＝ｉA＋ｉB＋ｉC    …式（１）
【００３３】
制御回路７は、スイッチング素子ＴA〜ＴCに接続されており、スイッチング素子ＴA〜ＴCそれぞれのオン／オフ（動作／停止）を制御する。例えば、スイッチング素子ＴA〜ＴCを全てオンにした場合、式（１）より、ＬＥＤ（１〜５）を流れる電流は、ｉLED＝ｉ−（ｉA＋ｉB＋ｉC）となる。以下同様に、スイッチング素子ＴAをオフ、スイッチング素子ＴB，ＴCをオンにした場合、ＬＥＤ（１〜５）を流れる電流は、ｉLED＝ｉ−（ｉB＋ｉC）となる。スイッチング素子ＴA，ＴBをオフ、スイッチング素子ＴCをオンにした場合、ＬＥＤ（１〜５）を流れる電流は、ｉLED＝ｉ−ｉCとなる。スイッチング素子ＴA〜ＴCを全てオフにした場合、ＬＥＤ（１〜５）を流れる電流は、ｉLED＝ｉとなる。
【００３４】
図１において、例えば、ＬＥＤ（１〜５）に流す最大電流と最小電流との目標比率が２０００：１で、最大電流（定格電流）が２５０ｍＡである場合について想定する。この場合、最小電流の目標値は０.１２５ｍＡとなる。そして、最小電流を流す場合に、例えば、スイッチング素子ＴA，ＴBをオフ、スイッチング素子ＴCをオンに制御するものとする。すなわち、最小電流を流す場合、ｉLED＝ｉ−ｉCの関係が成立する。本例のＬＥＤドライバ４の性能は、図４に示したように、調光用デューティが０.１％以下の場合には、動作が保証されておらず、調光用デューティが例えば０.１％のときにはＬＥＤ（１〜５）には０.２００ｍＡが供給される。つまりこのＬＥＤドライバ４の性能では、最小電流の目標値である０.１２５ｍＡを達成することができない。
【００３５】
上述の式（１）において、ｉ＝０.２００ｍＡ、ｉLED＝０.１２５ｍＡとすると、抵抗ＲCに流れるべき電流ｉCは、０.０７５ｍＡとなる。これより抵抗ＲCの抵抗値は、Ｖ１／ｉCにより求めることができる。ここで、電圧Ｖ１は抵抗ＲC（およびＬＥＤ回路５）に印加される電圧で既知である。このように、スイッチング素子ＴCのみをオンに制御することで、ＬＥＤドライバ４により供給される電流ｉ（＝０.２００ｍＡ）のうち、抵抗ＲCに電流ｉC（＝０.０７５ｍＡ）だけ分岐させることができる。このため、ＬＥＤ（１〜５）には目標の最小電流ｉLED（＝０.１２５ｍＡ）を流すことができる。
【００３６】
上記例では、スイッチング素子ＴA，ＴBをオフ、スイッチング素子ＴCをオンに制御することで、ＬＥＤ（１〜５）に最小電流を流すようにしたが、スイッチング素子ＴA，ＴB，ＴCのいずれか１つ以上をオンに制御することで、ＬＥＤ（１〜５）に最小電流を流すようにしてもよい。
【００３７】
なお、ＬＥＤ（１〜５）に最大電流（例えば、２５０ｍＡ）を流す場合、スイッチング素子ＴA〜ＴCを全てオフに制御する。すなわち、抵抗ＲA〜ＲCには電流が流れないため、ｉLED＝ｉの関係が成立する。このため、ＬＥＤドライバ４は、最大電流をそのまま供給すればよい。これにより、ＬＥＤ（１〜５）には目標の最大電流ｉLED（＝２５０ｍＡ）が流れることになる。
【００３８】
ここで、バイパス手段６を抵抗のみで構成した場合、バイパス手段６には常に電流が流れてしまう。このため、ＬＥＤ（１〜５）に最大電流を流す場合でも、ＬＥＤドライバ４は、この最大電流に、バイパス手段６に供給する電流分を加算した電流を供給する必要があり、この分がロスになっていた。これに対して、本発明では、バイパス手段６を抵抗とスイッチング素子により構成したため、ＬＥＤ（１〜５）に最大電流を流す場合、スイッチング素子をオフにして、抵抗に電流が流れないようにすることができる。これにより、ＬＥＤドライバ４は、最大電流をそのまま供給すればよいため、上記のロスが発生することはない。
【００３９】
図２は、ＬＥＤに流れる電流と調光用デューティとの対応関係の一例を示す図で、図中、縦軸はＬＥＤに流れる電流（単位：ｍＡ）、横軸は調光用デューティ（％）を示す。グラフＬ１は、前述の図４に示した従来のものと同様である。グラフＬ２は、本発明の回路構成におけるＬＥＤ（１〜５）に流れる電流と調光用デューティとの対応関係を示すもので、グラフＬ１を電流ｉR（本例では、ｉR＝ｉC）分だけ低くシフトさせたものである。本発明の回路構成によれば、上記で説明したように、ＬＥＤドライバ４により供給される電流ｉのうち、抵抗ＲCに電流ｉCだけ分岐させることができる。このため、ＬＥＤ（１〜５）に流す電流ｉLEDの最大電流と最小電流の比率を目標比率（例えば、２０００：１）にすることができる。
【００４０】
以下、前述の図１に基づき本発明による他の実施例について説明する。本例の場合、通常時、ＬＥＤ（１〜５）に流れる電流ｉLEDの最大電流を例えば２００ｍＡとし、ＬＥＤドライバ４で制御可能な最小電流を例えば１ｍＡとする。ここで、Ｖ１＝１００Ｖ、ＲA＝１１０ｋΩ、ＲB＝２ＭΩ、ＲC＝２.５ＭΩとする。
【００４１】
（１）スイッチング素子ＴA〜ＴCを全てオフした場合、最大電流は２００ｍＡ、最小電流は１ｍＡとなるため、最大電流と最小電流との比は、２００ｍＡ：１ｍＡ＝２００：１となる。
【００４２】
（２）スイッチング素子ＴAをオンし、スイッチング素子ＴB，ＴCをオフした場合、最大電流は２００ｍＡ、最小電流は、
１ｍＡ−（１００Ｖ／１１０ｋΩ）≒１ｍＡ−０.９ｍＡ≒０.１ｍＡ
となる。従って、最大電流と最小電流との比は、２００ｍＡ：０.１ｍＡ＝２０００：１となる。
【００４３】
（３）スイッチング素子ＴA，ＴBをオンし、スイッチング素子ＴCをオフした場合、最大電流は２００ｍＡ、最小電流は、
１ｍＡ−（１００Ｖ／１１０ｋΩ）−（１００Ｖ／２ＭΩ）≒１ｍＡ−０.９ｍＡ−０.０５ｍＡ≒０.０５ｍＡ
となる。従って、最大電流と最小電流との比は、２００ｍＡ：０.０５ｍＡ＝４０００：１となる。
【００４４】
（４）スイッチング素子ＴA〜ＴCを全てオンした場合、最大電流は２００ｍＡ，最小電流は、
１ｍＡ−（１００Ｖ／１１０ｋΩ）−（１００Ｖ／２ＭΩ）−（１００Ｖ／２.５ＭΩ）≒１ｍＡ−０.９ｍＡ−０.０５ｍＡ−０.０４ｍＡ≒０.０１ｍＡ
となる。従って、最大電流と最小電流との比は、２００ｍＡ：０.０１ｍＡ＝２００００：１となる。
【００４５】
上記（１）〜（４）の例では、複数のバイパスラインを並列に接続し、スイッチング素子ＴA〜ＴCにおけるオン／オフの組み合わせを制御することで、所望の電流比（最大電流と最小電流との比）を実現することができる。なお、２０００：１の電流比に固定して使用する場合には、上記（２）のパターンとなるが、この場合、少なくともスイッチング素子ＴAを含むバイパスラインがあればよく、スイッチング素子ＴBを含むバイパスライン、スイッチング素子ＴCを含むバイパスラインを不要としてもよい。
【００４６】
このように本発明によれば、ＬＥＤ（１〜５）と並列にバイパス手段６を挿入することで、ＬＥＤ（１〜５）に流す電流ｉLEDが目標の最小電流になるように、ＬＥＤドライバ４により供給される電流ｉをバイパス手段６に分岐させることができる。このため、ＬＥＤドライバ４の性能によらず、また、ＬＥＤドライバ４を停止させることがないため、誤動作することがなく、ＬＥＤ（１〜５）に流す最大電流と最小電流とを目標の比率にすることができる。
【００４７】
また、抵抗を含むバイパス手段６を用いるため、この抵抗が異常時に放電抵抗としても機能するため、回路を保護し、ＬＥＤ点灯装置１あるいはＬＥＤ点灯装置１を内蔵する液晶表示装置の安全性を確保することができる。
【符号の説明】
【００４８】
１，１００…ＬＥＤ点灯装置、２…コンバータ回路、３…スイッチング電源、４…ＬＥＤドライバ、５…ＬＥＤ回路、６…バイパス手段、７…制御回路。
【図１】
2014053138.tif 000003
【図２】
2014053138.tif 000004
【図３】
2014053138.tif 000005
【図４】
2014053138.tif 000006